(57)【要約】【課題】本発明の課題は、作物がプレートとタインコイル部との間に引っかからないようにし、ヘッドロスを未然に防止することを目的とする。【解決手段】 本発明は、回転軸芯（Ｑ）周りに回転するリールスラット（１７）からコイル状に構成された数個の掻込タイン（３，３）を下方向きに所定間隔毎に配置してある掻込リール（４）を有する刈取装置において、該掻込タイン（３）の上部を覆う帯板状の被覆プレート（１８）を、少なくともタインコイル部（３ａ）の上面部まで覆うべく構成する。また、被覆プレート（１８）は、タインコイル部（３ａ）の前面側端面を下向きに折り曲げ形成する。【選択図】      図４
2016202115.tif 000002
【特許請求の範囲】
【請求項１】
回転軸芯（Ｑ）周りに回転するリールスラット（１７）からコイル状に構成された数個の掻込タイン（３，３）を下方向きに所定間隔毎に配置してある掻込リール（４）を有する刈取装置において、該掻込タイン（３）の上部を覆う帯板状の被覆プレート（１８）を、少なくともタインコイル部（３ａ）の上面部まで覆うべく構成してあることを特徴とする刈取装置。
【請求項２】
前記被覆プレート（１８）は、タインコイル部（３ａ）の前面側端面を下向きに折り曲げ形成してある請求項１記載の刈取装置。
【請求項３】
前記各掻込タイン（３，３）の掻込作用側には、可撓性を有する帯板状の飛散防止体（２０）を設けてある請求項１又は請求項２記載の刈取装置。
【請求項４】
前記飛散防止体（２０）は、掻込タイン（３）の下端が下方に露出する程度の上下幅を有した形状に形成し、前方が透視可能な透明部材で構成してある請求項１又は請求項２又は請求項３記載の刈取装置。
【発明の詳細な説明】
【技術分野】
【０００１】
この発明は、稲麦や菜種等の作物を掻き込む掻込リールを備えた刈取装置に関する。
【背景技術】
【０００２】
従来、特許文献１に開示された技術は、作物を掻き込む掻込リールにおいて、回転軸芯周りに回転するリールスラットには、コイル状に構成された数個の掻込タインが下方向きに所定間隔毎に配置され、そして、各掻込タインの上部は、帯板状のプレートで被覆した構成になっている。
【先行技術文献】
【特許文献】
【０００３】
【特許文献１】特開２０１４−２２３０４０号公報
【発明の概要】
【発明が解決しようとする課題】
【０００４】
上記掻込タインの上部を覆うプレートは、タインのコイル部の上部まで被覆した構成になっていない為、作物がプレートとタインコイル部との間に引っかかりヘッドロスになっていた。
【０００５】
本発明の課題は、掻込タインの上部だけでなく、コイル部の上面部までプレートで覆うことにより上記問題点を解消することにある。
【課題を解決するための手段】
【０００６】
この発明は、上記課題を解決すべく次のような技術的手段を講じた。
【０００７】
すなわち、請求項１記載の発明は、回転軸芯（Ｑ）周りに回転するリールスラット（１７）からコイル状に構成された数個の掻込タイン（３，３）を下方向きに所定間隔毎に配置してある掻込リール（４）を有する刈取装置において、該掻込タイン（３）の上部を覆う帯板状の被覆プレート（１８）を、少なくともタインコイル部（３ａ）の上面部まで覆うべく構成してあることを特徴とする刈取装置とする。
【０００８】
請求項２記載の発明は、前記被覆プレート（１８）は、タインコイル部（３ａ）の前面側端面を下向きに折り曲げ形成してある請求項１記載の刈取装置とする。
【０００９】
請求項３記載の発明は、前記各掻込タイン（３，３）の掻込作用側には、可撓性を有する帯板状の飛散防止体（２０）を設けてある請求項１又は請求項２記載の刈取装置とする。
【００１０】
請求項４記載の発明は、前記飛散防止体（２０）は、掻込タイン（３）の下端が下方に露出する程度の上下幅を有した形状に形成し、前方が透視可能な透明部材で構成してある請求項１又は請求項２又は請求項３記載の刈取装置とする。
【発明の効果】
【００１１】
請求項１記載の発明によれば、各掻込タイン（３，３）の上部を覆う被覆プレート（１８）は、リールスラット（１７）と掻込タイン（３）間での作物の引っかかりを防止できるばかりでなく、タインコイル部（３ａ）の上面部まで覆うため、掻き込み時の作物が被覆プレート（１８）とタインコイル部（３ａ）との間においても引っかかることがなく、ヘッドロスを確実に防ぐことができる。
【００１２】
請求項２記載の発明によれば、請求項１記載の発明による効果に加えて、被覆プレート（１８）は、タインコイル部（３ａ）の上面部を覆うばかりでなく、そのタインコイル部（３ａ）の前面側端面を下向きに折り曲げることで、タインコイル部（３ａ）上への作物の巻き付き、侵入を確実に防ぐことができる。
【００１３】
請求項３記載の発明によれば、請求項１又は請求項２記載の発明による効果に加えて、飛散防止体（２０）によって掻込作用時の作物が各タインの間から前方へ抜けて飛散落下するのを防止できる。また、飛散防止体は、布やビニール、或いはゴムのような弾性材等可撓性を有するものであるため、作物を強制的に押さえることがなくなり、穀粒の飛散落下が減少し、刈取テーブル上への掻込ロスを無くすことができる。
【００１４】
請求項４記載の発明によれば、請求項１又は請求項２又は請求項３記載の発明による効果に加えて、掻込タイン（３）の下端が飛散防止体より下方に露出しているため、掻込作用は確実良好に行えるものでありながら、飛散防止体（２０）が透明部材でできているため、前方視界が良好で掻込作業状況を容易に確認でき、作業能率を高めることができる。
【図面の簡単な説明】
【００１５】
【図１】汎用コンバインの側面図
【図２】掻込リールの要部の正面図
【図３】同上要部の拡大正面図
【図４】同上要部の側面図
【図５】掻込リールの要部の側面図
【図６】同上要部の正面図
【図７】汎用コンバイン要部の側面図
【図８】汎用コンバインの脱穀部要部の側断面図
【図９】汎用コンバイン要部の従来例を示す側面図
【図１０】図９の改良案を示す側面図
【発明を実施するための形態】
【００１６】
この発明の実施例を図面に基づき説明する。
【００１７】
図１は、圃場に立毛する稲麦や菜種等の作物茎稈を掻き込む掻込リールを備えた汎用コンバインを示すものであり、下部に走行クローラ２を備えた車体１の前側には、作物茎稈を後方に掻き込む掻込タイン３を備えた掻込リール４と、掻込後の茎稈を切断するバリカン式の横向き刈刃装置５と刈取後の茎稈をテーブル６上に掻き込む掻込オーガ７等からなる刈取前処理部８を備えている。
【００１８】
刈取前処理部８の左側から後方にわたって装備されたフィーダハウス１０内には、刈取前処理部からの作物茎稈を受け継いで後方上方に揚上搬送して脱穀部９内に供給するフィードコンベア１１が装備されている。フィーダハウス１０の右側には、運転席１２や操作ボックス１３等からなる運転操作部がキャビン１４内に設置されている。
【００１９】
キャビン１４の後方には収穫物を一時的に貯留するグレンタンク１５が設置されている。
【００２０】
掻込リール４について説明すると、回転軸芯Ｑ周りに回転するリールシャフト１６のリールスラット１７には、コイル状に形成されたコイル部３ａを有する数個の掻込タイン３が所定間隔毎に取付配置され、そして、各掻込タインは、その基部(上端)側がリールスラット１７に取り付けられ、先端(下端)側が下向き状態にあって、常時垂下姿勢を保った状態で回転移行するよう構成されている。
【００２１】
掻込タインの上部を覆う帯板状の被覆プレート１８は、リールスラット１７に対し掻込タインの上部を前側から挟み込むように取付ボルト１９を介して取り付けられている。そして、該被覆プレート１８は、タイン３の上部だけでなく、少なくともタインコイル部３ａの上面部まで覆うようにコイル覆い部１８ａが構成され、しかも、コイル覆い部１８ａのコイル部３ａ前面側端面１８ｅが下向きとなるよう折り曲げ形成されている。
【００２２】
図５及び図６に示すように、各掻込タイン３，３，３の掻込作用側には、布、ビニールやゴムのような弾性材等からなる可撓性を有する帯板状の飛散防止体２０が張設されている。また、この飛散防止体２０は、各掻込タイン３の下端が若干下方に露出する程度の上下幅を有し、前方が透視可能な透明部材によって構成されている。
【００２３】
図７に示す実施例では、刈取部のフィーダハウス１０の下側に設けられた刈取上下シリンダの取付部を支点に起伏回動可能な刈取最上げ固定用の刈取最上げストッパ２１を設け、そして、この刈取最上げストッパ２１の内側に、適正な刈取作業高さまで下降させた状態で固定保持する定点停止用ストッパ２２を２重構成に設けた構成としている。
【００２４】
上記構成によると、定点停止用ストッパにより、刈取作業時の誤操作による刈取部の下がり過ぎを防止できるため、地面への突っ込みや泥土の掬い上げを防止できる。なお、定点停止用ストッパ２２の受止め側をボルト等の締め込み量で刈取上下量を調整可能に構成しておくと、作業者の好みに合わせた刈高さに調整できる。
【００２５】
図８に示す実施例は、汎用コンバインの脱穀部（脱穀装置）９の構成例を示すものであるが、扱胴（ロータ）２４後部の後壁板２５を従来の垂直面に対し、下側ほど後方に広がる傾斜面２５Ｓ構成とすることで、ワラ屑の詰りがなく、速やかに下方へ案内落下される。また、傾斜面２５Ｓの傾斜延長線上ではチョッパ２６の回転派７の外周軌跡の上死点より前にくる構成とすることで、チョッパによるワラの切断作用が確実に行える。
【００２６】
図９に示すように、フィードコンベア１１の終端と脱穀室内への入口受け板２８との間に籾防止用のゴム垂れを設けているが、このゴム垂れ部分に作物が溜まると、ゴム垂れの先端が上向きにめくれてゴム垂れと入口受け板との間から籾がもれていた。本例では、図１０のＡ（刈取部上げ状態），Ｂ（刈取部下げ状態）に示すように、従来のゴム垂れに代えて板バネ３０によって構成することで、刈取部の上げ下げに関係なく、板バネは入口受け板上に常時弾発し、作物が溜まってもめくれることがなく、籾漏れを防止することができる。
【符号の説明】
【００２７】
３    掻込タイン
３ａ  タインコイル部
４    掻込リール
１７    リールスラット
１８    被覆プレート
２０    飛散防止体
【図１】
2016202115.tif 000003
【図２】
2016202115.tif 000004
【図３】
2016202115.tif 000005
【図４】
2016202115.tif 000006
【図５】
2016202115.tif 000007
【図６】
2016202115.tif 000008
【図７】
2016202115.tif 000009
【図８】
2016202115.tif 000010
【図９】
2016202115.tif 000011
【図１０】
2016202115.tif 000012